(57)【要約】  検索のためのメタ情報が含まれた記録媒体、再生装置及びその再生方法が開示される。  本発明による記録媒体は、ＡＶデータと、ＡＶデータの再生単位であるプレイアイテム及びプレイリストと、プレイアイテム及びプレイリストを利用して所定の検索条件を満足させるＡＶデータの位置を探索するための少なくとも一つのメタ情報と、を含むことを特徴とする。  これにより、ユーザが所望する多様な検索条件に合う動画像データを効果的に検索して再生できる。
2007515735.tif 000002
【特許請求の範囲】
【請求項１】
記録及び／または再生装置を使用して再生されるデータを記録する記録媒体において、
ＡＶデータと、
前記装置で前記ＡＶデータが再生される単位であるプレイアイテム及びプレイリストと、
前記プレイアイテム及びプレイリストを利用して所定の検索条件を満足させるＡＶデータの位置を探索するために、前記装置により使われる少なくとも一つのメタ情報とを含むことを特徴とする記録媒体。
【請求項２】
前記メタ情報は、
外部から受信した所定の検索条件と比較される検索キーワード情報と、
前記検索キーワード情報に対応するＡＶデータの位置を表す位置情報とを含むことを特徴とする請求項１に記載の記録媒体。
【請求項３】
前記検索キーワード情報は、
前記検索条件と比較される検索キーワードと、
前記メタ情報の前記検索キーワードについての検索キーワード値及び／または検索キーワードについての付加情報とを含むことを特徴とする請求項２に記載の記録媒体。
【請求項４】
前記検索キーワードは、場面の種類による検索キーワード、登場人物による検索キーワード、撮影場所による検索キーワードのうち少なくとも一つを含むことを特徴とする請求項３に記載の記録媒体。
【請求項５】
前記位置情報は、
前記メタ情報が参照するＡＶデータの再生単位であるプレイアイテムの識別子と、
前記プレイアイテムの再生開始時間から前記メタ情報が指示する位置までの時間間隔または前記メタ情報が指示する位置の再生時間スタンプを表すタイムスタンプデータとを含むことを特徴とする請求項２に記載の記録媒体。
【請求項６】
前記プレイアイテムの識別子を利用して再生されるプレイアイテムを探索し、探索されたプレイアイテムの再生開始時間（ＩＮ＿Ｔｉｍｅ）及び前記タイムスタンプデータを利用して前記ＡＶデータで再生される位置を探索することを特徴とする請求項５に記載の記録媒体。
【請求項７】
前記メタ情報は、前記ＡＶデータの再生単位であるプレイリストに対応するＡＶデータの特定位置を指示するマークの集合であるプレイリストマークに含まれていることを特徴とする請求項１に記載の記録媒体。
【請求項８】
前記メタ情報は、前記ＡＶデータの再生単位であるプレイリストに対応するＡＶデータの特定位置を指示するマークの集合であるプレイリストマークと別個に記録されていることを特徴とする請求項１に記載の記録媒体。
【請求項９】
前記メタ情報は、固定された長さを持つことを特徴とする請求項１に記載の記録媒体。
【請求項１０】
前記メタ情報は、二進データの形態で記録されたことを特徴とする請求項１に記載の記録媒体。
【請求項１１】
前記メタ情報は、可変の長さを持つことを特徴とする請求項１に記載の記録媒体。
【請求項１２】
前記メタ情報は、テキストデータの形態で記録され、前記メタ情報についての付加説明をさらに含むことを特徴とする請求項１に記載の記録媒体。
【請求項１３】
前記メタ情報は、前記メタ情報データの長さを表す長さ情報をさらに含むことを特徴とする請求項１に記載の記録媒体。
【請求項１４】
ＡＶデータと、前記ＡＶデータの再生単位であるプレイアイテム及びプレイリストと、前記プレイアイテム及びプレイリストを利用して所定の検索条件を満足させるＡＶデータの位置を探索するための少なくとも一つのメタ情報と、を含む記録媒体に関するデータの伝送に使われる再生及び／または記録装置において、
前記記録媒体から読み出された前記メタ情報を参照して所定の検索条件を満足させるＡＶデータの位置を探索する検索部と、
前記探索されたＡＶデータの位置から前記ＡＶデータを再生する再生部とを備えることを特徴とする装置。
【請求項１５】
前記記録媒体から、前記ＡＶデータ及び少なくとも一つの前記メタ情報を読み出す読み出し部をさらに備えることを特徴とする請求項１４に記載の装置。
【請求項１６】
前記メタ情報は、検索キーワード情報をさらに含み、
前記検索部は、前記読み出し部から前記少なくとも一つのメタ情報を伝達され、外部から受信した所定の検索条件と前記メタ情報に含まれた検索キーワード情報とを比較し、前記検索条件と一致するメタ情報に含まれたＡＶデータの位置情報を前記再生部に伝達することを特徴とする請求項１５に記載の装置。
【請求項１７】
前記再生部は、前記検索部から伝達された前記検索条件を満足させるＡＶデータの位置情報に基づいて該当する位置から前記ＡＶデータを再生することを特徴とする請求項１６に記載の再生装置。
【請求項１８】
（ａ）検索条件を入力されるステップと、
（ｂ）ＡＶデータと、前記ＡＶデータの再生単位であるプレイアイテム及びプレイリストと、前記プレイアイテム及びプレイリストを利用して所定の検索条件を満足させるＡＶデータの位置を探索するための少なくとも一つのメタ情報と、を含む記録媒体から、前記メタ情報を参照して前記検索条件を満足させるＡＶデータの位置を探索するステップと、
（ｃ）前記探索されたＡＶデータの位置から前記ＡＶデータを再生するステップとを含むことを特徴とする再生方法。
【請求項１９】
前記メタ情報は、検索キーワード情報をさらに含み、
前記（ｂ）ステップは、
（ｂ１）前記検索条件と前記検索キーワード情報とを比較して、前記検索条件と一致するメタ情報を探索するステップと、
（ｂ２）探索されたメタ情報に含まれた位置情報を参照して前記ＡＶデータで該当する位置を探索するステップとを含むことを特徴とする請求項１８に記載の再生方法。
【請求項２０】
前記検索キーワード情報は、
製作者が任意に指定できる前記検索キーワードの種類と、前記製作者が任意に指定できない他の種類の検索キーワードとを表し、これらを区分するメタタイプ情報をさらに含むことを特徴とする請求項３に記載の記録媒体。
【請求項２１】
前記メタタイプ情報は、
前記検索キーワードの種類を表すメタタイプ、前記メタタイプについての付加情報、及び前記付加情報の長さのうち少なくとも一つを含むことを特徴とする請求項２０に記載の記録媒体。
【請求項２２】
前記検索条件と比較される検索キーワードは、検索キーワードであることを表す所定の固定値を持つことを特徴とする請求項２０に記載の記録媒体。
【請求項２３】
前記メタ情報は、
製作者が任意に指定できる前記検索キーワードの種類と前記製作者が任意に指定できない他の種類の検索キーワードとを表し、これらを区分するメタタイプ情報をさらに含むことを特徴とする請求項２に記載の記録媒体。
【請求項２４】
前記メタタイプ情報は、
前記検索キーワードの種類を表すメタタイプ、前記メタタイプについての付加情報、及び前記付加情報の長さのうち少なくとも一つを含むことを特徴とする請求項２３に記載の記録媒体。
【請求項２５】
前記検索キーワード情報内に定義された前記検索条件と比較される検索キーワードは、検索キーワードであることを表す所定の固定値を持つことを特徴とする請求項２３に記載の記録媒体。
【請求項２６】
前記記録媒体に記録されたメタ情報は、製作者が任意に指定できる前記検索キーワードの種類と前記製作者が任意に指定できない他の種類の検索キーワードとを表し、これらを区分するメタタイプ情報をさらに含み、
前記検索部は、外部から所定の検索条件を受信するために、前記メタタイプ情報に基づいて検索メニューを画面に表示することを特徴とする請求項１６に記載の再生装置。
【請求項２７】
前記メタ情報は、製作者が任意に指定できる前記検索キーワードの種類と前記製作者が任意に指定できない他の種類の検索キーワードとを表し、これらを区分するメタタイプ情報をさらに含み、前記（ａ）ステップは、前記メタ情報に基づいて検索メニューを画面に表示して前記検索条件を入力されるステップであることを特徴とする請求項１８に記載の再生方法。
【請求項２８】
記録及び／または再生装置を使用して再生されるデータを記録する記録媒体において、
前記装置により再生されるデータと、
前記装置の再生単位である少なくとも一つのプレイアイテムを含む少なくとも一つのプレイリストと、
前記装置が前記記録媒体でのデータ位置を検索するところに使用する少なくとも一つのメタ情報とを含み、
前記検索は、検索条件と前記少なくとも一つのメタ情報とを比較したことに基づき、前記メタ情報は、前記プレイアイテム及び前記プレイリストを参照することを特徴とする記録媒体。
【請求項２９】
前記プレイリストは、前記装置が前記データの一部分を選択的に検索して再生するときに使用するプレイリストマークを含み、
前記メタ情報は、再生されるデータの一部分のタイプを表すマークタイプと、前記プレイリストマーク以外に、前記マークタイプによって定義され、前記装置が前記プレイアイテム及び前記プレイリスト内のデータの一部分を選択的に検索して再生するときに使用するメタマークとを含むことを特徴とする請求項２８に記載の記録媒体。
【請求項３０】
前記プレイリストマークは、チャプターの転換を表すマーク、応用で静止画像の転換時点を表すマーク及び／またはナビゲーション命令により指示される再生時点を表すマークを含むことを特徴とする請求項２９に記載の記録媒体。
【請求項３１】
前記メタタイプは、複数の他のタイプのデータのうち少なくとも一つを指示するように形成でき、前記装置は、前記他のタイプによって前記データの部分を整列して分類するときに使用することを特徴とする請求項３０に記載の記録媒体。
【請求項３２】
前記メタ情報は、前記他のタイプの各データに対して他の部分を区分するために使われる情報を含むことによって、前記装置が指示できる他のタイプのうち特定タイプのデータを検索せよという要求を受信する場合、前記装置は、前記メタタイプを検索して前記特定タイプにマッチされるタイプのデータを分離し、前記情報を利用して前記特定タイプのデータ部分を識別させることを特徴とする請求項３１に記載の記録媒体。
【請求項３３】
前記プレイリストは、前記プレイリストマーク及び前記メタ情報を含むことを特徴とする請求項２８に記載の記録媒体。
【請求項３４】
前記プレイリストは、第１領域に配置される前記プレイリストマークを含み、前記第１領域ではない他の領域に前記メタ情報を含むことによって、前記装置が前記プレイリストマークを含む前記第１領域の外で前記メタ情報を感知できることを特徴とする請求項２８に記載の記録媒体。
【請求項３５】
前記装置に前記メタ情報のタイプを指示し、前記製作者の設計によって複数の検索カテゴリーのうち一つを指示するように形成できるメタタイプ情報をさらに含むことを特徴とする請求項３２に記載の記録媒体。
【請求項３６】
前記装置に該当タイプのメタ情報の長さを指示し、前記製作者の設計によって複数の長さのうち一つを指示するように形成できるメタタイプ長さ情報をさらに含むことを特徴とする請求項３５に記載の記録媒体。
【請求項３７】
前記記録媒体は、
前記記録及び／または再生装置により再生されるデータを指定するステップと、
前記記録及び／または再生装置により再生されるデータの単位である前記少なくとも一つのプレイアイテム及び前記少なくとも一つのプレイリストを指定して定義するステップと、
所定の標準によってプレイリストマークを指定するステップと、
前記記録及び／または再生装置に前記記録媒体のデータ一部分の位置を検索するように指示し、前記所定の標準に含まれていない、前記少なくとも一つのメタ情報に含まれるメタマークを指定するステップと、により準備されることを特徴とする請求項２８に記載の記録媒体。
【請求項３８】
コンピュータにより行われる請求項１８に記載の再生方法を実行するための処理命令でエンコーディングされたコンピュータで読み取り可能な記録媒体。
【発明の詳細な説明】
【技術分野】
【０００１】
本発明は、記録媒体の再生に係り、より詳細には、検索のためのメタ情報が含まれた記録媒体、再生装置及びその再生方法に関する。
【背景技術】
【０００２】
ＤＶＤのような記録媒体には、ＭＰＥＧなどの標準によって圧縮符号化されたビデオ及びオーディオ、またはサブタイトルを含むＡＶデータ（音声−映像データまたは動画像データストリーム）が記録されている。また、動画像データストリームの符号化属性または動画像の再生順序などの付加情報がさらに記録されている。
【０００３】
これにより、記録媒体に記録された動画像は再生情報によって順に再生されることが一般的であり、時には、ＡＶデータの再生中にチャプター単位でジャンプして再生される場合もある。
【０００４】
しかし、従来の記録媒体については、ユーザが所望する検索基準によって任意の場面にジャンプして再生できる方法が提供されていない。すなわち、場面（シーン）単位の検索や登場人物（キャラクタ）単位の検索、または背景場所（ロケーション）単位の検索などユーザが所望する検索基準によってＡＶデータの任意の位置に移動して再生する機能は提供されず、多様な検索が困難であるという問題点があった。
【発明の開示】
【発明が解決しようとする課題】
【０００５】
したがって、本発明の目的は、前述した問題点を解決するために多様な検索基準によって動画像の検索及び再生が可能な記録媒体を提供することである。
【０００６】
また、本発明の他の目的は、多様な検索基準による動画像の検索及び再生機能を提供する再生装置を提供することである。
【０００７】
さらに、本発明のまた他の目的は、ユーザが所望する多様な検索基準によって動画像の拡張された検索機能を含む再生方法を提供することである。
【課題を解決するための手段】
【０００８】
前記目的は、ＡＶデータと、ＡＶデータの再生単位であるプレイアイテム及びプレイリストと、前記プレイアイテム及びプレイリストを利用して所定の検索条件を満足させるＡＶデータの位置を探索するために、前記装置により使われる少なくとも一つのメタ情報とを含むことを特徴とする記録媒体により達成される。
【０００９】
前記メタ情報は、外部から受信した所定の検索条件と比較される検索キーワード情報と、前記検索キーワード情報に対応するＡＶデータの位置を表す位置情報とを含むことが望ましい。
【００１０】
前記検索キーワード情報は、前記検索条件と比較される検索キーワードと、前記メタ情報の前記検索キーワードについての検索キーワード値及び／または検索キーワードについての付加情報と、を含むことが望ましく、前記検索キーワードは、場面の種類による検索キーワード、登場人物による検索キーワード、撮影場所による検索キーワードのうち少なくとも一つを含むことが望ましい。
【００１１】
また、前記検索キーワード情報は、製作者が任意に指定できる前記検索キーワードの種類を表すメタタイプ情報をさらに含むことが望ましい。
【００１２】
前記位置情報は、前記メタ情報が参照するＡＶデータの再生単位であるプレイアイテムの識別子と、前記プレイアイテムの再生開始時間から前記メタ情報が指示する位置までの時間間隔または前記メタ情報が指示する位置の再生時間スタンプを表すタイムスタンプデータと、を含むことが望ましい。
【００１３】
前記プレイアイテムの識別子を利用して再生されるプレイアイテムを探索し、探索されたプレイアイテムの再生開始時間（ＩＮ＿Ｔｉｍｅ）及び前記タイムスタンプデータを利用して前記ＡＶデータで再生される位置を探索することを特徴とすることが望ましい。
【００１４】
前記メタ情報は、前記ＡＶデータの再生単位であるプレイリストに対応するＡＶデータの特定位置を指示するマークの集合であるプレイリストマークに含まれるか、または、プレイリストマークと別個に記録されることが望ましい。
前記メタ情報は、固定された長さを持つか、または可変の長さを持ち、可変の長さを持つ場合には、前記メタ情報データの長さを表す長さ情報をさらに含むことが望ましい。
【００１５】
また、前記メタ情報は、二進データの形態で記録されるか、またはテキストデータの形態で記録され、メタ情報についての付加説明をさらに含むことが望ましい。
【００１６】
一方、本発明の他の分野によれば、前記目的は、ＡＶデータと、前記ＡＶデータの再生単位であるプレイアイテム及びプレイリストと、前記プレイアイテム及びプレイリストを利用して所定の検索条件を満足させるＡＶデータの位置を探索するための少なくとも一つのメタ情報と、を含む記録媒体から、前記メタ情報を参照して所定の検索条件を満足させるＡＶデータの位置を探索する検索部と、前記探索されたＡＶデータの位置から前記ＡＶデータを再生する再生部とを備えることを特徴とする再生装置により達成される。
【００１７】
一方、本発明の他の分野によれば、前記目的は、（ａ）検索条件を入力されるステップと、（ｂ）ＡＶデータと、前記ＡＶデータの再生単位であるプレイアイテム及びプレイリストと、前記プレイアイテム及びプレイリストを利用して所定の検索条件を満足させるＡＶデータの位置を探索するための少なくとも一つのメタ情報と、を含む記録媒体から、前記メタ情報を参照して前記検索条件を満足させるＡＶデータの位置を探索するステップと、（ｃ）前記探索されたＡＶデータの位置から前記ＡＶデータを再生するステップとを含むことを特徴とする再生方法により達成される。
【発明の効果】
【００１８】
本発明によれば、ユーザが所望する場面別、登場人物別、撮影場所別などの多様な検索基準による拡張検索及び再生機能が提供される。したがって、ユーザが所望する多様な検索条件に合うＡＶデータを効果的に検索して再生できる。
【００１９】
また、本発明の望ましい実施例による記録媒体は、ＡＶデータ及び所定の検索条件を満足させるＡＶデータの位置を探索して再生できるように、ＡＶデータの検索基準として使われる複数のメタ情報を含むことができる。これにより、多様な検索基準を通じた拡張検索機能を提供できる。
【００２０】
また、本発明による記録媒体は、その再生装置への挿脱が容易な脱着式であり、再生装置の光学装置を利用してデータを読み取れる光ディスクであることが望ましい。例えば、ＣＤ−ＲＯＭ、ＤＶＤのような光ディスクが含まれることができ、以後に開発される光ディスクが含まれうる。
【発明を実施するための最良の形態】
【００２１】
以下、添付された図面を参照して本発明の望ましい実施例について詳細に説明する。
【００２２】
前記目的を達成するために、本発明による記録媒体には、ＡＶデータ及びＡＶデータの検索基準として使われる複数のメタ情報が記録されることが望ましい。これにより、多様な検索基準による動画像の検索及び再生が可能である。
【００２３】
図１は、本発明の実施例１によるメタ情報とＡＶデータとの相互関係を示す図である。図１を参照するに、本発明による記録媒体（例えば、図１０の媒体１０１０）は、クリップ１３５と再生単位であるプレイリスト１１０とを記録する。各クリップ１３５は、記録単位であるクリップＡＶストリーム１４０及びクリップ情報（Ｃｌｉｐ  Ｉｎｆｏｒｍａｔｉｏｎ）１３０を含む。プレイリスト１１０は、プレイアイテム（ＰｌａｙＩｔｅｍ）１２０ａないし１２０ｃを含む。また、プレイリスト１１０は、プレイリストマーク１１１と、本発明による検索基準としてのメタ情報（Ｍｅｔａ  Ｉｎｆｏｒｍａｔｉｏｎ）１１２とを含む。
【００２４】
クリップＡＶストリーム１４０は、従来のＤＶＤと比較すれば記録単位のセル（Ｃｅｌｌ）に該当し、プレイリスト１１０及びプレイアイテム１２０ａないし１２０ｃは、再生単位であるプログラムチェーン、プログラム及びセルと同じ概念である。記録媒体には、動画像情報がクリップ単位で記録されている。以下では、クリップＡＶストリーム１４０をＡＶデータと略称する。
【００２５】
通常、ＡＶデータは連続的な空間に記録され、容量を縮めるために圧縮符号化して記録される。圧縮符号化されたＡＶデータを再生するためには、圧縮されたＡＶデータの特性情報が必要である。したがって、各クリップ１３５ごとに圧縮されたＡＶデータの特性情報が記録されたクリップ情報１３０が含まれる。しかし、クリップ１３５が必ずしも圧縮されたＡＶデータである必要はない。
【００２６】
クリップ情報（Ｃｌｉｐ  Ｉｎｆｏｒｍａｔｉｏｎ）１３０は、各ＡＶデータ１４０のオーディオ／ビデオ属性及び一定の区間単位でランダムアクセスが可能なエントリーポイント（Ｅｎｔｒｙ  Ｐｏｉｎｔ）の位置情報を記録したエントリーポイントマップ（Ｅｎｔｒｙ  Ｐｏｉｎｔ  Ｍａｐ）などの特性情報が記録される。動画像圧縮技術として多く使われるＭＰＥＧ標準の場合、エントリーポイントは、イントラ画像を圧縮するＩピクチャーの位置情報であり、エントリーポイントマップは、再生開始後所定の時間が経過した地点を探す時間検索（Ｔｉｍｅ  Ｓｅａｒｃｈ）に主に利用される。しかし、ＭＰＥＧの代わりにウィンドウメディア（Ｗｉｎｄｏｗｓ（登録商標）Ｍｅｄｉａ）のような他の標準が圧縮に使われることもある。
【００２７】
一方、記録媒体には、再生の基本単位である複数のプレイリスト１１０が記録される。プレイリストは、ＡＶデータの特定位置を指示するプレイリストマーク１１１と、ＡＶデータの再生小単位として少なくとも一つのプレイアイテム１２０ａないし１２０ｃとを含む。
【００２８】
プレイアイテム（ＰｌａｙＩｔｅｍ）１２０ａないし１２０ｃは、クリップＡＶストリーム１４０の一部分を指示し、具体的には、クリップ情報１３０内での再生開始時間（ＩＮ＿ｔｉｍｅ）及び再生終了時間（ＯＵＴ＿ｔｉｍｅ）を指定して、該当ＡＶデータ１４０の一部分を指示する。したがって、プレイアイテムは、クリップ情報１３０に含まれたエントリーポイントマップを利用して実際ＡＶデータ内で該当部分の位置を探すことができる。
【００２９】
一般的にＡＶデータの再生は、プレイリスト１１０単位からなり、プレイリスト１１０に羅列されたプレイアイテム１２０ａ、１２０ｂ、１２０ｃの順序によって再生される。この時、プレイリストマーク１１１を使用して動画像ストリームの特定位置に移動し、その位置から再生できる。
【００３０】
一方、メタ情報１１２は、ユーザが要求する多様な検索基準による検索機能を提供するために、所定の検索基準による検索キーワード情報及びＡＶデータの位置情報を含む。図１に示すように、メタ情報はＰｌａｙＩｔｅｍ１２０ａないし１２０ｃ及びクリップ情報１３０を参照して正確なＡＶデータ（クリップＡＶストリーム）の位置を指示している。これにより、メタ情報に含まれた検索情報によって多様な検索機能が提供される。本発明の実施例１は、メタ情報１１２がプレイリストマーク１１１内に含まれた場合を表す。その他の形態のメタ情報は後述する。
【００３１】
以下では、実施例１によるメタ情報１１２のデータ構造について詳細に説明する。
【００３２】
図２は、本発明の実施例１によるプレイリスト１１０のデータ構造を簡略に示す図である。図２を参照するに、プレイリスト１１０は、プレイリストマーク１１１及び少なくとも一つのプレイアイテム１２０ａ、１２０ｂ、…を含み、拡張検索機能を提供するためのメタ情報１１２はプレイリストマーク１１１に含まれる。
【００３３】
プレイアイテム１２０ａ、１２０ｂは、前述したようにＡＶデータの一部分の再生のための情報を記録する。
【００３４】
プレイリストマーク１１１は、チャプター転換時に使われるマーク、ブラウザブルスライドショーのような応用で静止画像の転換時点を表すマーク、ＬｉｎｋＭＫのようなナビゲーション命令語により指示される再生時点を表すマークを含む。これにより、従来のチャプター別、静止画像のスライドショーの転換など指定された時点の再生位置を探索できる。しかし、プレイリストマーク１１１は、ユーザが所望する場面（Ｓｃｅｎｅ）別、登場人物（Ｃｈａｒａｃｔｅｒ）別、撮影場所（Ｌｏｃａｔｉｏｎ）別などの多様な検索基準による検索及び再生機能を提供できない。
【００３５】
これに対し、メタ情報１１２は、ユーザが所望する場面別、登場人物別、撮影場所別などの多様な検索基準による拡張検索機能を提供する。メタ情報１１２は、拡張検索機能を提供するための情報であって、検索キーワード情報及び位置情報を含む。検索キーワード情報は所定の検索基準と比較されて、ユーザが所望する検索基準に一致するメタ情報を含むプレイリストマーク１１１を探索するために使われ、一致するプレイリストマーク１１１を探せば、これに含まれた位置情報を参照して対応するＡＶデータの位置を探して再生できる。
【００３６】
図３は、本発明の実施例１によるメタ情報１１２が含まれたプレイリストマーク１１１の構文構造の一例を示す図である。図３を参照するに、プレイリストマーク１１１には、一つのプレイリストに定義されたプレイリストマークの数を表すｎｕｍｂｅｒ＿ｏｆ＿ＰｌａｙＬｉｓｔ＿ｍａｒｋｓと、各プレイリストマークのデータ長を表すｌｅｎｇｔｈが含まれる。
【００３７】
各プレイリストマークは、拡張検索機能を提供するための検索キーワード情報３１０であって、所定の検索条件と比較される検索キーワード（ｍａｒｋ＿ｔｙｐｅ）とメタ情報の検索キーワードについての検索キーワード値及び／または検索キーワードについての付加情報を表すメタ情報データ（ｍｅｔａ＿ｉｎｆｏｒｍａｔｉｏｎ）を含む。
【００３８】
また、各プレイリストマークは、検索結果によってＡＶデータから該当位置を探索するための位置情報３２０であって、プレイアイテムの識別子（ｒｅｆ＿ｔｏ＿ＰｌａｙＩｔｅｍ＿ｉｄ）とタイムスタンプデータ（ｍａｒｋ＿ｔｉｍｅ＿ｓｔａｍｐ）とを含む。
【００３９】
これにより、外部から特定検索条件が受信されれば（例えば、ユーザがキーボードやリモコンを利用して所定の検索条件を入力する場合）、本発明による再生装置は、プレイリストマーク２１０に含まれたメタ情報３１０を参照して受信された検索条件に該当するマークを検索し、同じ条件のマークが検索された場合、検索されたマークの位置情報３２０であるプレイアイテム識別子（すなわち、図３のｒｅｆ＿ｔｏ＿ＰｌａｙＩｔｅｍ＿ｉｄ）及びタイムスタンプデータを利用してＡＶデータを保存したクリップ１３５内の対応位置に移動して該当位置から再生する。
【００４０】
図３に示す例は、最も簡単にメタ情報１１２を含む形態であって、従来のプレイリストマークのデータ構造を利用して、後述する検索キーワード（ｍａｒｋ＿ｔｙｐｅ）テーブルに拡張検索基準を表す重要な役割を追加で定義し、プレイリストマークのフィールドのうち８ビットの予約領域（ｒｅｓｅｒｖｅｄ  ａｒｅａ）を、検索キーワードについての検索キーワード値及び／または検索キーワードについての付加情報を表すメタ情報データ（ｍｅｔａ＿ｉｎｆｏｒｍａｔｉｏｎ）フィールドとして使用することである。
【００４１】
一例として、映画の場面（Ｓｃｅｎｅ）別検索基準をメタ情報１１２として使用する場合、次のように定義された検索キーワード（ｍａｒｋ＿ｔｙｐｅ）テーブルを使用できる。
【００４２】
図４は本発明の実施例１による検索キーワード（ｍａｒｋ＿ｔｙｐｅ）の一例をテーブル状に示す図である。図４を参照するに、場面別検索のための検索キーワードでＳｃｅｎｅ＿ｍａｒｋを０×０４値と定義している。図３に示すメタ情報を含むプレイリストマークの検索キーワード（ｍａｒｋ＿ｔｙｐｅ）フィールドが０×０４と設定された場合、メタ情報データ（ｍｅｔａ＿ｉｎｆｏｒｍａｔｉｏｎ）フィールドには場面番号が記録されうる。ユーザが検索しようとする場面番号を入力すれば、複数のプレイリストマーク１１１のうち、検索キーワード（ｍａｒｋ＿ｔｙｐｅ）フィールドが０×０４を持ち、検索キーワードデータ（ｍｅｔａ＿ｉｎｆｏｒｍａｔｉｏｎ）フィールドは、入力された場面番号と同じ値が記録されたマークが検索される。
【００４３】
または、場面別検索のために検索キーワードでＳｃｅｎｅ＿ｍａｒｋに該当する０×０４値が受信されれば、検索キーワードが０×０４で記録されたあらゆるマークが検索される。検索された結果をユーザにメニューの形態でディスプレイし、ユーザがディスプレイされたマークのうち所望の場面を選択することもできる。
【００４４】
検索結果、ユーザが選択した場面番号を持つプレイリストマーク１１１から、プレイアイテム識別子（ｒｅｆ＿ｔｏ＿ＰｌａｙＩｔｅｍ＿ｉｄ）と、該当プレイアイテムの再生開始時間（ＩＮ＿ｔｉｍｅ）から検索されたマークまでの時間間隔または前記メタ情報１１２が指示する位置の再生時間スタンプを表すタイムスタンプデータ（ｍａｒｋ＿ｔｉｍｅ＿ｓｔａｍｐ）を抽出し、これを利用してユーザが所望する場面（Ｓｃｅｎｅ）の位置に再生の位置を移動する。
【００４５】
図示されたＣｈａｐｔｅｒ−ｍａｒｋは、チャプター転換時に使用されるマークであり、Ｓｋｉｐ  ｐｏｉｎｔは、ブラウザブルスライドショーのような応用で静止画像の転換時点を表すために使われるマークであり、Ｌｉｎｋ  ｐｏｉｎｔは、ＬｉｎｋＭＫのようなナビゲーション命令語により指示される再生時点を表すためのマークである。
【００４６】
その他に拡張検索機能のために、登場人物別、撮影場所別、小品別検索機能を提供する検索キーワード（ｍａｒｋ＿ｔｙｐｅ）など多様な検索基準が含まれうる。
【００４７】
以下では、実施例２によるメタ情報５１２のデータ構造について説明する。
【００４８】
図５は、本発明の実施例２によるメタ情報５１２が含まれたプレイリストマーク５１１の構文構造の一例を示す図である。図５を参照するに、プレイリストマーク５１１にメタ情報５１２のための追加検索基準が検索キーワード情報５１０として定義されている。検索キーワード情報５１０は検索キーワード（ｍａｒｋ＿ｔｙｐｅ）を含み、可変するデータ長のメタ情報を記録するメタ情報データ（ＭｅｔａＩｎｆｏ）フィールドと、メタ情報データ（ＭｅｔａＩｎｆｏ）の長さを記録する長さ情報（ＭｅｔａＩｎｆｏ＿ｌｅｎｇｔｈ）フィールドとが追加で含まれる。位置情報５２０もメタ情報５１２に含まれ、プレイアイテム識別子（ｒｅｆ＿ｔｏ＿ＰｌａｙＩｔｅｍ＿ｉｄ）及びタイムスタンプデータ（ｍａｒｋ＿ｔｉｍｅ＿ｓｔａｍｐ）を含む。
【００４９】
一例として、映画の場面（Ｓｃｅｎｅ）をメタ情報５１２として使用する場合、場面別検索キーワード（ｍａｒｋ＿ｔｙｐｅ）で前述したテーブルのＳｃｅｎｅ−ｍａｒｋを０×０４値と定義し、メタ情報データ（ＭｅｔａＩｎｆｏ）フィールドに場面番号及び場面についての付加説明を記録し、メタ情報データ（ＭｅｔａＩｎｆｏ）の長さを長さ情報（ＭｅｔａＩｎｆｏ＿ｌｅｎｇｔｈ）フィールドに記録する。これにより、前述した実施例１のように固定された長さではなく可変する長さのメタ情報５１２を記録でき、メタ情報データ（ＭｅｔａＩｎｆｏ）にさらに多様な情報を含めることができる。
【００５０】
以下では、実施例３によるメタ情報６１２のデータ構造について説明する。
【００５１】
図６は、本発明の実施例３によるメタ情報６１２とＡＶデータ６４０との相互関係を示す図である。図６を参照するに、実施例１または実施例２とは違って、プレイリストマーク６１１と別途に定義されたメタ情報６１２が図示されている。すなわち、プレイリストにプレイリストマーク６１１とは独立的に記録されたメタ情報６１２が含まれる。メタ情報６１２に含まれる各メタ情報項目は、前述したように、プレイアイテム６２０ａないし６２０ｃの識別子とクリップ情報６３０とを参照してＡＶデータ６４０内の正確な位置を指示する。
【００５２】
図７は、本発明の実施例３によるプレイリストのデータ構造を簡略に示す図である。図７を参照するに、プレイリスト６１０は、プレイリストマーク６１１及び少なくとも一つのプレイアイテム６２０ａ、６２０ｂ、…を含む。また、拡張検索機能を提供するためのメタ情報６１２が、プレイリストマーク６１１とは独立的にプレイリスト６１０に含まれる。
【００５３】
プレイリストマーク６１１及びプレイアイテム６２０ａ、６２０ｂ、…は、図２のプレイリストマーク１１１及びプレイアイテム１２０ａ、１２０ｂ、…と同一または類似している。
【００５４】
メタ情報６１２は、所定の検索基準による多様な検索機能を提供する。メタ情報６１２は、拡張検索機能を提供するための情報であって、検索キーワード情報及び位置情報を含む。検索キーワード情報は所定の検索基準と比較されて、ユーザが所望する検索基準に一致するメタ情報項目（Ｉｔｅｍ）を探索するために使われ、一致するメタ情報項目を探せば、これに含まれた位置情報を参照して対応するＡＶデータ６４０の位置を探して再生できる。
【００５５】
図８は、本発明の実施例３によるプレイリストマーク６１１と別途に記録されたメタ情報６１２の構文構造の一例を示す図である。図８を参照するに、メタ情報６１２を具現するために、ＭｅｔａＩｎｆｏｒｍａｔｉｏｎというデータ構造が定義される。ＭｅｔａＩｎｆｏｒｍａｔｉｏｎというデータ構造では、メタ情報６１２を構成するそれぞれの検索対象を表す単位として項目という用語が使われる。
【００５６】
本発明の実施例３によるメタ情報６１２のＭｅｔａＩｎｆｏｒｍａｔｉｏｎデータ構造には、一つのプレイリスト６１０に定義されたあらゆるメタ情報項目（Ｉｔｅｍ）の数を表すｎｕｍｂｅｒ＿ｏｆ＿ＰｌａｙＬｉｓｔ＿ｉｔｅｍｓと、各メタ情報６１２の長さを表すｌｅｎｇｔｈ情報とが含まれる。
【００５７】
各メタ情報項目（Ｉｔｅｍ）には、拡張検索機能を提供するための検索キーワード情報８１０として、所定の検索条件と比較される検索キーワード（ｉｔｅｍ＿ｔｙｐｅ）とメタ情報の検索キーワードについての検索キーワード値及び／または検索キーワードについての付加情報を表すメタ情報データ（ＭｅｔａＩｎｆｏ）、メタ情報データ（ＭｅｔａＩｎｆｏ）の長さを表す長さ情報（ＭｅｔａＩｎｆｏ＿ｌｅｎｇｔｈ）が含まれる。また、各メタ情報項目（Ｉｔｅｍ）には、検索結果によってＡＶデータから該当位置を探索するための位置情報８２０として、プレイアイテムの識別子（ｒｅｆ＿ｔｏ＿ＰｌａｙＩｔｅｍ＿ｉｄ）及びタイムスタンプデータ（ｍａｒｋ＿ｔｉｍｅ＿ｓｔａｍｐ）が含まれる。
【００５８】
一例として、映画の場面（Ｓｃｅｎｅ）別検索基準をメタ情報として使用する場合、次のように定義された検索キーワード（ｉｔｅｍ＿ｔｙｐｅ）テーブルを使用できる。
【００５９】
図９は、本発明の実施例３による検索キーワード（ｉｔｅｍ＿ｔｙｐｅ）の一例をテーブル状に示す図である。図９を参照するに、一例として、映画の場面（Ｓｃｅｎｅ）別検索基準を含むメタ情報を使用する場合、場面別検索のための検索キーワード（ｉｔｅｍ＿ｔｙｐｅ）で検索キーワードテーブルでＳｃｅｎｅ−ｍａｒｋを０×０１と定義し、メタ情報データ（ＭｅｔａＩｎｆｏ）フィールドに場面番号（ＳｃｅｎｅＮｕｍｂｅｒ）及び／または場面についての付加説明を記録し、メタ情報データ（ＭｅｔａＩｎｆｏ）フィールドの長さを長さ情報（ＭｅｔａＩｎｆｏ＿ｌｅｎｇｔｈ）に記録する。
【００６０】
図９には、場面（Ｓｃｅｎｅ）別検索のための検索タイプでＳｃｅｎｅ＿ｍａｒｋを０×０１値と定義し、撮影場所別検索のための検索タイプでＬｏｃａｔｉｏｎ−ｍａｒｋを０×０２値と定義している。登場人物別検索のための検索タイプでＰｌａｙｅｒ＿ｍａｒｋを０×０３値と定義している。０×００値は予約されている。その他に拡張検索機能のために撮影場所別、小品別検索機能を提供する検索キーワード（ｍａｒｋ＿ｔｙｐｅ）など多様な検索基準がさらに含まれうる。さらに、他の類型のテーブルが図９に示すテーブルの代わりにまたは追加的に使われうるということは言うまでもない。
【００６１】
例えば、ユーザが検索しようとする場面番号を入力すれば、少なくとも一つのメタ情報項目（Ｉｔｅｍ）のうち、検索キーワード（ｉｔｅｍ＿ｔｙｐｅ）フィールドが０×０１を持ち、検索キーワードデータ（ＭｅｔａＩｆｏ）フィールドは入力された場面番号と同じ値が記録されたメタ情報項目（Ｉｔｅｍ）が検索される。
【００６２】
または、場面別検索のために検索キーワードでＳｃｅｎｅ＿ｍａｒｋに該当する０×０１値が受信されれば、検索キーワードが０×０１で記録されたあらゆるメタ情報項目（Ｉｔｅｍ）が検索される。検索された結果をユーザにメニューの形態でディスプレイし、ユーザがディスプレイされたマークのうち所望の場面を選択できる。
【００６３】
検索結果、ユーザが選択した場面番号を持つメタ情報項目（Ｉｔｅｍ）から、プレイアイテム識別子（ｒｅｆ＿ｔｏ＿ＰｌａｙＩｔｅｍ＿ｉｄ）と該当プレイアイテムの再生開始時間（ＩＮ＿ｔｉｍｅ）とタイムスタンプデータ（ｉｔｅｍ＿ｔｉｍｅ＿ｓｔａｍｐ）とを利用して、ユーザが所望する場面（Ｓｃｅｎｅ）の位置に再生の位置を移動させる。
【００６４】
ユーザから入力された検索条件と一致するメタ情報項目（Ｉｔｅｍ）を検索する過程で、前述した実施例１または実施例２のようにメタ情報１１２、５１２がプレイリストマーク１１１、５１１に含まれている方式は、プレイリストマークデータをいずれも検索したが、実施例３のようにメタ情報６１２が別途に記録されている方式は、プレイリストマーク６１１とは独立的に記録されたメタ情報６１２を検索することによって、検索の効率を高めることができる。
【００６５】
また、別途のＭｅｔａＩｎｆｏｒｍａｔｉｏｎデータ構造を定義することで、従来のプレイリストマーク（ＰｌａｙＬｉｓｔＭａｒｋ）構造にメタ情報を記録するためのフィールドを追加する方式で引き起こされうるいろいろな制限事項から自由であるという長所がある。別途のデータ構造は、プレイリストマークが定義された後に別途に記録でき、これは、記録媒体と共に使用するために更新された検索が抽出される場合に発生する。
【００６６】
以上で説明した実施例を要約すれば、実施例１及び実施例２は、本発明によるメタ情報１１２、５１２がプレイリストマーク１１１、５１１、ＰｌａｙＬｉｓｔＭａｒｋ（）に含まれる場合の例であり、実施例３は、プレイリストマーク６１１と別途にメタ情報６１２、ＭｅｔａＩｎｆｏｒｍａｔｉｏｎ（）を定義した場合の例を表す。
【００６７】
すなわち、実施例１及び実施例２の場合、図３及び図５に示すように、メタ情報を含むＰｌａｙＬｉｓｔＭａｒｋ（）は、マークの種類を表すためのｍａｒｋ＿ｔｙｐｅフィールドにメタ情報の検索キーワードを表す追加的なタイプを定義し、メタ情報を表すフィールドとして、ＭｅｔａＩｎｆｏフィールドまたはｍｅｔａ＿ｉｎｆｏｒｍａｔｉｏｎフィールドとその長さを表すＭｅｔａＩｎｆｏ＿ｌｅｎｇｔｈフィールドとを定義する。この場合、検索しようとするメタ情報の検索キーワードの種類があらかじめ定義されていなければならず、また、それぞれのあらかじめ定義された検索キーワードの種類によって指定されたｍａｒｋ＿ｔｙｐｅが定義されていなければならない。例えば、検索しようとするメタ情報の検索キーワードの種類が場面、登場人物、小品、背景音楽である場合、場面を表すｍａｒｋ＿ｔｙｐｅは０×０４、登場人物を表すｍａｒｋ＿ｔｙｐｅは０×０５、小品を表すｍａｒｋ＿ｔｙｐｅは０×０６、背景音楽を表すｍａｒｋ＿ｔｙｐｅは０×０７などのように、そのｍａｒｋ＿ｔｙｐｅフィールドの値があらかじめ定義されていなければならない。
【００６８】
また、実施例３の場合、図７に示すように、プレイリストマークと別途にメタ情報構造体であるＭｅｔａＩｎｆｏｒｍａｔｉｏｎ（）を新たに定義する。この場合にも、図９に示すように、それぞれの検索キーワードを表すｍａｒｋ＿ｔｙｐｅフィールドの値があらかじめ定義されていなければならない。
【００６９】
しかし、この場合にメタ情報の検索キーワードタイプをあらかじめ定義せず、製作者が任意に定義してもよい。したがって、眺望角度、音楽類型、販売アイテム、広告など他のタイプのアイテムが制限なしに定義されうる。さらに、ｉｔｅｍ＿ｔｙｐｅは配布者、賃貸者及び／またはユーザなど製作者以外の存在により定義できる。
【００７０】
以下では、前述した実施例の他の応用例として、メタ情報の検索キーワードタイプをあらかじめ定義せず、製作者が任意に定義できる他の実施例を説明する。この場合、再生装置は、製作者が任意に定義した検索キーワードタイプを認識して検索を行わねばならない。このために、マークタイプ（ｍａｒｋ＿ｔｙｐｅ）とは別途に製作者により任意にその値が指定されうるメタタイプ情報が必要である。
【００７１】
図１２は、本発明の実施例４によるメタタイプ情報１２１０が追加されたメタ情報１２１２を含むプレイリストマーク１２１１の構文構造の一例を示す図である。図１２を参照するに、図５に示す実施例２を応用した場合として、製作者が任意に指定できるメタ情報の検索キーワードタイプを表すメタタイプ情報１２１０が追加された場合を図示する。
【００７２】
すなわち、図５に示す実施例２の場合とは違って、マークタイプ（ｍａｒｋ＿ｔｙｐｅ）と別途にメタタイプ情報１２１０が追加で定義される。メタ情報を表すあらゆるマークには同じｍａｒｋ＿ｔｙｐｅ値を与えて、従来のプレイリストマークとは異なる別途のメタ情報であることを表すようにする。また、メタ情報のタイプはｍｅｔａ＿ｔｙｐｅフィールドに、そのタイプの名称はｍｅｔａ＿ｔｙｐｅ＿ｎａｍｅフィールドと定義する。例えば、本発明によるメタ情報であることを表すｍａｒｋ＿ｔｙｐｅを０×０３と仮定すれば、メタ情報であることを表すあらゆるマークは同じ値、０×０３を持つ。また、メタタイプ情報であるｍｅｔａ＿ｔｙｐｅフィールドとｍｅｔａ＿ｔｙｐｅ＿ｎａｍｅフィールドとの値はあらかじめ定義されず、製作者が任意に指定できる。
【００７３】
また、製作者がメタ情報の検索キーワードで場面、登場人物、撮影場所、背景音楽を定義しようとする場合、各プレイリストマークは次のように定義できる。
【００７４】
図１３は、図１２に示す構文構造によるメタ情報１２１２を含むプレイリストマークの１２１１一例を示す図である。図１３を参照するに、メタ情報であることを表すプレイリストマークのｍａｒｋ＿ｔｙｐｅは０×０３でいずれも同一であり、各メタ情報の検索キーワードの種類を区分するためには、ｍｅｔａ＿ｔｙｐｅフィールドを参照する。図示された例の場合、製作者が、場面は０×０１、登場人物は０×０２、撮影場所は０×０３、背景音楽は０×０４でメタタイプ情報を指定した場合である。このようなメタタイプ情報は、製作者が任意に指定するので、再生装置は各タイプがどの種類の検索キーワードであるかを認識できない。したがって、再生装置は、ユーザのために支援される検索キーワードの種類を画面に出力するために、各ｍｅｔａ＿ｔｙｐｅごとに指定されたｍｅｔａ＿ｔｙｐｅ＿ｎａｍｅフィールドを参照する。
【００７５】
すなわち、再生装置がｍｅｔａ＿ｔｙｐｅ＿ｎａｍｅフィールドを参照して画面に支援される検索キーワードの種類が表示された検索メニュー画面を表示すれば、ユーザは、表示された検索キーワードの種類のうち検索しようとするｍｅｔａ＿ｔｙｐｅを選択する。再生装置は、プレイリストマークのうち、ユーザにより選択されたｍｅｔａ＿ｔｙｐｅと一致するプレイリストマークを検索し、検索されたマークの検索キーワード値であるメタ情報データ（ｍｅｔａ＿ｉｎｆｏ）を利用して選択可能な検索キーワード値の目録を画面に表示する。ユーザにより選択された検索キーワード値に対応するプレイリストマークの時間情報（Ｐｒｅｓｅｎｔａｔｉｏｎタイムスタンプ：ＰＴＳ）を利用して、ユーザが所望する検索条件に該当するＡＶデータを再生できる。
【００７６】
図１４Ａ及び図１４Ｂは、メタ情報を利用した検索メニュー画面の一例を示す図である。図１４Ａは、ｍｅｔａ＿ｔｙｐｅ＿ｎａｍｅフィールドを参照して支援される検索キーワードの種類を表示した検索メニュー画面の一例である。図１４Ａ及び図１３を参照するに、ユーザに検索キーワードの種類を知らせるためにｍｅｔａ＿ｔｙｐｅに対応するｍｅｔａ＿ｔｙｐｅ＿ｎａｍｅフィールドを参照して、支援される検索キーワードの種類をメニュー画面に表示する。すなわち、０×０１に対応するＳｃｅｎｅ、０×０２に対応するＡｃｔｏｒ、０×０３に対応するＬｏｃａｔｉｏｎ、０×０４に対応するＭｕｓｉｃが検索メニュー画面に表示される。図１３に示すように、０×０１に対応するＳｃｅｎｅについてはＳｃｅｎｅ１及び２が、０×０２に対応するＡｃｔｏｒについてはＡｃｔｏｒ１及び２が、０×０３に対応するＬｏｃａｔｉｏｎについてはＫｏｒｅａが、０×０４に対応するＭｕｓｉｃについてはＭｕｓｉｃ１及び２があって、ユーザはこれから選択できる。ユーザは所望の検索キーワードの種類を選択できる。例えば、ユーザが、場面番号１番の動画像を検索して再生しようとする場合ならば、ユーザは、Ｓｃｅｎｅ検索キーワードを選択すればよい。
【００７７】
一方、図１４Ｂは、ユーザが選択した検索キーワードの種類に該当する検索キーワード値（ｍｅｔａ＿ｉｎｆｏ）を検索して表示した画面の一例である。図１４Ｂ及び図１３を参照するに、再生装置は、ユーザが選択した検索キーワード種類であるＳｃｅｎｅに対応するメタタイプ情報０×０１を持つあらゆるプレイリストマークを検索する。図１３に示すプレイリストマークの場合、検索キーワード種類であるｍａｒｋ＿ｔｙｐｅが０×０１である最初のマークと、５番目のマークが検索される。再生装置は、検索された検索キーワード値を図１４Ｂのような形態で画面に表示できる。ユーザが画面に表示された検索キーワード値のうち再生を所望する検索キーワード値、すなわち、ｓｃｅｎｅ＃１を選択すれば、再生装置は、図１３のｓｃｅｎｅ＃１に対応する時間情報を読み取ってｓｃｅｎｅ＃１に該当する動画像データを再生する。必須なものではないが、組合わせられた検索形態（例：ある登場人物が存在するか、特定タイプの背景音楽が再生される場面）で検索可能にメニューが組合わせられて、図１４Ｂに示す結果が変更できる。
【００７８】
以下では、本発明の他の実施例として、メタタイプ情報を製作者任意に定義できるプレイリストマーク構造体のさらに他の例を説明する。図１３に示すように、各プレイリストマークごとに検索キーワードの種類であるｍｅｔａ＿ｔｙｐｅを定義する代わり、支援される検索キーワードの種類を集めて一つの目録で別途に管理する方法である。
【００７９】
図１５は、本発明の実施例５によるメタタイプ情報が追加されたメタ情報を含むプレイリストマーク２１０の構文構造の一例を示す図である。図１５を参照するに、支援される検索キーワードの種類を表すｍｅｔａ＿ｔｙｐｅの目録情報１５１０を、プレイリストマークの他の情報と別途に分離して定義する。これにより、再生装置は、支援される検索キーワードの種類を表す検索メニューを画面に表示するために全体プレイリストマークを検索する必要なく、ｍｅｔａ＿ｔｙｐｅの目録情報１５１０のみ検索して、効率的に図１４Ａのような検索メニュー画面を表示できる。すなわち、製作者により任意に定義されたメタタイプの目録をマーク情報と別途に分離して記録することによって、さらに効率的に検索メニュー画面を表示できる。図１４Ａ及び図１４Ｂには、検索メニューがテキストで図示されたが、イメージ基盤でまたはイメージとテキストとの組合わせで構成されてもよいということは明らかである。
【００８０】
具体的に、ユーザからメタ情報の検索要求が入力されれば、再生装置は、ｍｅｔａ＿ｔｙｐｅの目録情報のうち、ｍｅｔａ＿ｔｙｐｅ＿ｎａｍｅフィールドを利用して画面上にあらゆる検索可能なメタタイプ情報をメニュー形態で羅列する。すなわち、製作者が定義した支援可能なあらゆる検索キーワードの種類を表示する。表示結果は図１４Ａと同一である。ユーザが表示されたメニューのうち一つを選択すれば、再生装置は、選択されたｍｅｔａ＿ｔｙｐｅ＿ｎａｍｅに対応するｍｅｔａ＿ｔｙｐｅ値を参照して、あらゆるマークのうちｍａｒｋ＿ｔｙｐｅが０×０３であるメタ情報を表すマークを検索し、そのうち選択されたｍｅｔａ＿ｔｙｐｅ値と同じｍｅｔａ＿ｔｙｐｅを含むマークを選択して、これをメニュー形態で表示する。表示結果は、図１４Ｂと同一である。ユーザが表示されたメニューのうち一つを選択すれば、該当メタ情報が存在する位置に再生の時点を移動して再生できる。
【００８１】
図１６Ａ及び図１６Ｂは、図１５に示す構文構造によるメタ情報を含むプレイリストマークの一例である。図１６Ａは、前述したように支援される検索キーワードの種類を表すｍｅｔａ＿ｔｙｐｅの目録情報１５１０を表す。ｍｅｔａ＿ｔｙｐｅとそれに対応するｍｅｔａ＿ｔｙｐｅ＿ｎａｍｅ情報を記録しているｍｅｔａ＿ｔｙｐｅ目録情報とが定義される。図面は、製作者が任意にＳｃｅｎｅ、Ａｃｔｏｒ、Ｌｏｃａｔｉｏｎ、Ｍｕｓｉｃの４つのメタタイプを定義した場合を表す。
【００８２】
また、図１６Ｂは、図１４Ａに示す検索メニュー画面で選択された検索キーワードの種類に該当するメタ情報のマークを表す。すなわち、図１６Ｂに示すｍｅｔａ＿ｔｙｐｅによって、それぞれのメタタイプ情報を記録しているマークの例を表す。
【００８３】
以下では、本発明のさらに他の実施例として、前述した実施例３を応用した場合であって、メタ情報をプレイリストマークと別途に定義した場合である。
【００８４】
図１７は、本発明の実施例６によるプレイリストマークと別途に記録されたメタ情報にメタタイプ情報を追加したメタ情報の構文構造の一例を示す図である。図１７を参照するに、メタ情報がＰｌａｙＬｉｓｔＭａｒｋ（）構造体と分離されて記録された場合であって、製作者により任意にメタ情報のタイプを定義できるように構成したＭｅｔａＩｎｆｏｒｍａｔｉｏｎ（）構造体の一例を表す。各フィールドについての説明は、図１５に前述した通りである。
【００８５】
以下では、前述したデータ構造を持つメタ情報を含む記録媒体を再生する再生装置について説明する。
【００８６】
図１０は、本発明の望ましい実施例による再生装置のブロック図である。図１０を参照するに、本発明による再生装置は、読み出し部１０２０、バッファ部１０３０、検索部１０４０及び再生部１０５０を備える。
【００８７】
読み出し部１０２０は、前述した記録媒体からＡＶデータ及び少なくとも一つのメタ情報を読み出す。
【００８８】
バッファ部１０３０は、読み出し部１０２０を通じて読み出されたＡＶデータ及びメタ情報を一時保存し、再生部１０５０にそのデータを伝達する役割を行う。本発明による再生装置は、読み出し部１０２０の性能が高くてバッファリングする必要がない場合にはバッファ部１０３０を含めなくてもよい。
【００８９】
検索部１０４０は、ＡＶデータの検索基準として使われる複数のメタ情報を含む記録媒体から、メタ情報を参照して外部から受信した所定の検索条件を満足させるＡＶデータの位置を探索する。
【００９０】
すなわち、検索部１０４０は、読み出し部１０２０からメタ情報を伝達され、外部から受信した所定の検索条件と伝達されたメタ情報に含まれた検索キーワード情報とを比較して、検索条件と一致するメタ情報項目またはプレイリストマークに含まれたＡＶデータの位置情報を再生部１０５０に伝達する。
【００９１】
特に、検索部１０４０は、所定の検索条件を受信するために、製作者が任意に指定できる検索キーワードの種類を表す前述したメタタイプ情報を利用して検索メニューを画面に表示してもよい。
【００９２】
再生部１０５０は、検索部１０４０を通じて探索されたＡＶデータの位置情報に基づいて対応する部分のＡＶデータを再生する。
【００９３】
前記のような構成に基づいて本発明によるメタ情報を含む記録媒体を再生する方法を説明すれば、次の通りである。
【００９４】
図１１は、本発明による再生方法を示すフローチャートである。図１１を参照するに、拡張検索機能を提供するメタ情報を含む記録媒体を再生するために、まず、所定の検索条件を入力され（１１２０ステップ）、ＡＶデータ及び所定の検索条件を満足させるＡＶデータの位置を探索するために使われる少なくとも一つのメタ情報を含む記録媒体から、メタ情報を参照して検索条件を満足させるＡＶデータの位置を探索した後（１１２２ステップ）、探索されたＡＶデータの位置から前記ＡＶデータを再生する（１１２４ステップ）。
【００９５】
特に、メタ情報に基づいてＡＶデータの位置を探索する過程は、入力された所定の検索条件と少なくとも一つのメタ情報の検索キーワード情報とを比較して、検索条件と一致するメタ情報項目（Ｉｔｅｍ）またはプレイリストマーク（ＰｌａｙＬｉｓｔＭａｒｋ）を探索し、探索されたメタ情報項目（Ｉｔｅｍ）またはプレイリストマーク（ＰｌａｙＬｉｓｔＭａｒｋ）に含まれた位置情報を参照してＡＶデータで該当する位置を探索する過程を経る。
【００９６】
また、所定の検索条件を入力されるために（１１２０ステップ）、製作者が任意に指定できる前記検索キーワードの種類を表すメタタイプ情報を利用して検索メニューを画面に表示してもよい。
【００９７】
本発明はまた、コンピュータで読み取り可能な記録媒体にコンピュータで読み取り可能なコードで具現できる。コンピュータで読み取り可能な記録媒体は、コンピュータシステムによって読み取られるデータが保存されるあらゆる種類の記録装置を含む。コンピュータで読み取り可能な記録媒体の例には、ＲＯＭ、ＲＡＭ、ＣＤ−ＲＯＭ、磁気テープ、フロッピー（登録商標）ディスク、光ディスクなどがあり、またキャリアウェーブ（例えば、インターネットを通じた伝送）の形態で具現されるものを含む。また、コンピュータで読み取り可能な記録媒体は、ネットワークで連結されたコンピュータシステムに分散されて、分散方式でコンピュータで読み取り可能なコードで保存されて実行できる。
【００９８】
以上の説明は本発明の一実施例に過ぎず、当業者ならば、本発明の本質的特性から逸脱しない範囲で変形された形態で具現できるであろう。したがって、本発明の範囲は前記の実施例に限定されず、特許請求の範囲に記載された内容と同等な範囲内にある多様な実施形態が含まれるように解釈されねばならない。
【図面の簡単な説明】
【００９９】
【図１】本発明の実施例１によるメタ情報とＡＶデータとの相互関係を示す図である。
【図２】本発明の実施例１によるプレイリストのデータ構造を簡略に示す図である。
【図３】本発明の実施例１によるメタ情報が含まれたプレイリストマークの構文構造の一例を示す図である。
【図４】本発明の実施例１による検索キーワードの一例をテーブル状に示す図である。
【図５】本発明の実施例２によるメタ情報が含まれたプレイリストマークの構文構造の一例を示す図である。
【図６】本発明の実施例３によるメタ情報とＡＶデータとの相互関係を示す図である。
【図７】本発明の実施例３によるプレイリストのデータ構造を簡略に示す図である。
【図８】本発明の実施例３によるプレイリストマークと別途に記録されたメタ情報の構文構造の一例を示す図である。
【図９】本発明の実施例３による検索キーワードの一例をテーブル状に示す図である。
【図１０】本発明の望ましい実施例による再生装置のブロック図である。
【図１１】本発明の望ましい実施例による再生方法を示すフローチャートである。
【図１２】本発明の実施例４によるメタタイプ情報が追加されたメタ情報を含むプレイリストマーク２１０の構文構造の一例を示す図である。
【図１３】図１２に示す構文構造によるメタ情報を含むプレイリストマークの一例を示す図である。
【図１４Ａ】メタ情報を利用した検索メニュー画面の一例を示す図である。
【図１５】本発明の実施例５によるメタタイプ情報が追加されたメタ情報を含むプレイリストマーク２１０の構文構造の一例を示す図である。
【図１６Ａ】図１５に示す構文構造によるメタ情報を含むプレイリストマークの一例を示す図である。
【図１６Ｂ】図１５に示す構文構造によるメタ情報を含むプレイリストマークの一例を示す図である。
【図１７】本発明の実施例６によるプレイリストマークと別途に記録されたメタ情報にメタタイプ情報を追加したメタ情報の構文構造の一例を示す図である。
【図１】
2007515735.tif 000003
【図２】
2007515735.tif 000004
【図３】
2007515735.tif 000005
【図４】
2007515735.tif 000006
【図５】
2007515735.tif 000007
【図６】
2007515735.tif 000008
【図７】
2007515735.tif 000009
【図８】
2007515735.tif 000010
【図９】
2007515735.tif 000011
【図１０】
2007515735.tif 000012
【図１１】
2007515735.tif 000013
【図１２】
2007515735.tif 000014
【図１３】
2007515735.tif 000015
【図１４Ａ】
2007515735.tif 000016
【図１４Ｂ】
2007515735.tif 000017
【図１５】
2007515735.tif 000018
【図１６Ａ】
2007515735.tif 000019
【図１６Ｂ】
2007515735.tif 000020
【図１７】
2007515735.tif 000021
【国際調査報告】
2007515735.tif 000022